(57)【要約】      （修正有）【課題】組立・解体性，プライバシー，照明や生活音，および寒さの問題を解消し、かつ、避難所での様々な要求に柔軟に対応することのできる、断熱緩衝材を備えた段ボール製寝床具を提供する。【解決手段】断熱緩衝材付段ボール製寝床具１０は、床板１１と，天板１２と，側板１３，１４と，を備え、床板，天板，および側板はそれぞれ、段ボール板と断熱緩衝板の貼りあわせからなり、床板および天板の断熱緩衝板には、長手方向に伸びる切込みが形成されており、側板では、断熱緩衝板からはみ出した段ボール板が差込部となるように形成されており、差込部が、床板の切込みに差し込まれることで、人が寝てまたは立って入れる程の直方体空間Ｓを形成する。【選択図】図１
0003219523.tif 000002
【実用新案登録請求の範囲】
【請求項１】
人が寝てまたは立って入れる程の直方体空間を形成する、一枚の床板と，一枚の天板と，二枚の側板と，を備え、
前記床板，天板，および側板はそれぞれ、段ボール板と断熱緩衝板の貼りあわせからなり、
前記床板および前記天板は、段ボール板の組立時内側となる面に前記段ボール板と略同サイズの断熱緩衝板を備え、前記断熱緩衝板には長手方向に伸びる切込みが二列形成されており、
前記側板は、段ボール板の組立時外側となる面に前記段ボール板より幅方向に小さいサイズの断熱緩衝板を備え、前記断熱緩衝板からはみ出した前記段ボール板が差込部となるように形成されており、
前記側板の前記差込部が、前記床板および前記天板の前記切込みに差し込まれて組み立てられる
ことを特徴とする、断熱緩衝材付段ボール製寝床具。
【請求項２】
前記床板と前記天板は構成同一、前記二枚の側板は構成同一であることを特徴とする請求項１に記載の断熱緩衝材付段ボール製寝床具。
【請求項３】
前記寝床具は、幅：長さ：高さ＝１：２：１で形成されたことを特徴とする請求項１または２に記載の断熱緩衝材付段ボール製寝床具。
【請求項４】
前記床板および前記天板は、長手方向の少なくとも一箇所で折り曲げ可能に構成されたことを特徴とする請求項１〜３のいずれかに記載の断熱緩衝材付段ボール製寝床具。
【請求項５】
前記床板および前記天板の、前記切込みには、断面「コ」の字状の組立補強材が挿入されたことを特徴とする請求項１〜４のいずれかに記載の断熱緩衝材付段ボール製寝床具。
【請求項６】
前記床板，前記天板，および前記側板の、前記断熱緩衝板が設けられていない面に、さらに追加断熱緩衝板が貼り付けられたことを特徴とする請求項１〜５のいずれかに記載の断熱緩衝材付段ボール製寝床具。
【請求項７】
前記寝床具は、さらに、少なくとも一枚の蓋板を備え、前記蓋板は、段ボール板と，組立時内側となる面に前記段ボール板に対して一回り小さいサイズの断熱緩衝板を備え、前記蓋板の前記断熱緩衝板をはめ込むことにより、前記床板，天板，および側板で形成された前記直方体空間の解放部が塞がれることを特徴とする請求項１〜６のいずれかに記載の断熱緩衝材付段ボール製寝床具。
【請求項８】
前記蓋板は、少なくとも一箇所で折り曲げ可能に構成されたことを特徴とする請求項７に記載の断熱緩衝材付段ボール製寝床具。
【請求項９】
前記床板，前記天板，前記側板，および前記蓋板の少なくとも一つには、少なくとも一つの窓が形成されたことを特徴とする請求項７または８に記載の断熱緩衝材付段ボール製寝床具。
【請求項１０】
前記床板，前記天板，および前記側板は、長手方向中央で二つ折り可能に構成され、二つ折りにされた前記床板，前記天板，前記側板と，前記蓋板とは、二つの梱包箱に分かれて収容可能であり、前記二つの梱包箱は、前記寝床具の支持フレームとして前記床板の下方に配置可能であることを特徴とする請求項７〜９のいずれかに記載の断熱緩衝材付段ボール製寝床具。
【請求項１１】
前記梱包箱は、引き出しとして構成されたことを特徴とする請求項１０に記載の断熱緩衝材付段ボール製寝床具。
【請求項１２】
前記寝床具は、個室，更衣室，授乳室，または仮設トイレとして利用可能であることを特徴とする請求項１〜９のいずれかに記載の断熱緩衝材付段ボール製寝床具。
【請求項１３】
前記寝床具は、テーブルまたは長椅子として利用可能であることを特徴とする請求項１〜９のいずれかに記載の断熱緩衝材付段ボール製寝床具。
【請求項１４】
前記床板，前記天板，および前記側板は、展開して畳として利用可能であることを特徴とする請求項１〜９のいずれかに記載の断熱緩衝材付段ボール製寝床具。
【請求項１５】
前記床板および前記天板の前記断熱緩衝板には、幅方向に伸びる第二切込みが二列形成されており、一台の前記寝床具の左方の前記差込部ともう一台の前記寝床具の右方の前記差込部を前記第二切込みに差し込むことで、二台の前記寝床具が連結されることを特徴とする請求項１〜９のいずれかに記載の断熱緩衝材付段ボール製寝床具。
【請求項１６】
前記断熱緩衝板は古紙再生発泡体であり、前記段ボール板は古紙リサイクルへ、前記古紙再生発泡体は固形燃料へリサイクル可能であることを特徴とする請求項１〜１５のいずれかに記載の断熱緩衝材付段ボール製寝床具。
【請求項１７】
前記断熱緩衝板は、厚さ４０ｍｍであることを特徴とする請求項１６に記載の断熱緩衝材付段ボール製寝床具。
【考案の詳細な説明】
【技術分野】
【０００１】
本考案は、災害時に避難所で使用される、断熱緩衝材を備えた段ボール製の寝床具に関する。
【背景技術】
【０００２】
地震，噴火，洪水等の大規模な災害が発生した時、被災者は体育館や公民館等の避難所での生活を余儀なくされる。避難所では、だだっ広い空間で、硬い床にシートや毛布を敷いただけの生活となることが多い。特に高齢者や乳幼児にとって、硬い寝床は過酷であり、健康被害が発生する事例が後を絶たない。また、避難所では、騒音問題やプライバシーが守れないことによる精神的ストレスも大きな問題となっている。また、こうした状況を回避するために自家用車等の狭小なスペースで寝食しエコノミークラス症候群を発症する事例も散見される。
【０００３】
このような避難所での生活環境を改善するものとして、段ボールベッドが知られている。一般的な段ボールベッドは、図２３に示すように、複数の段ボール箱を並べ、ガムテープなどで一体化させた単純な台のようなものである。
【０００４】
この他に、例えば特許文献１には、支持フレームとなる段ボールの切込み形状を工夫し、段ボール製のロック材を使用することで、ガムテープ無しで組み立て可能な段ボールベッドが開示されている。特許文献２には、複数の段ボール部品を組み立てて、「コ」の字に組みあがった段ボール製支持フレームの下方空間に、床材となる発泡ブロックを入れた段ボールベッドが開示されている。特許文献３には、支持フレームとなる段ボールに外周スリーブを設け、外周スリーブに間仕切りとなる段ボールを差しこめる構成とした段ボールベッドが開示されている。
【先行技術文献】
【特許文献】
【０００５】
【特許文献１】特開２００９−５９０２号公報
【特許文献２】実用新案登録第３１８６８２１号
【特許文献３】特開２０１７−２０９３２１号公報
【考案の概要】
【考案が解決しようとする課題】
【０００６】
しかしながら、図２３のような一般的な段ボールベッドは、組み立てにガムテープ等の工具が必要である。また、実際には、寝床としては床面が硬いため、敷布団等の就寝具が必要である。特許文献１の段ボールベッドは、ガムテープ等の工具を必要としないが、一般的な段ボールベッドと同様に段ボールのみで形成されているため、寝床としては就寝具が必要である。特許文献２の段ボールベッドは、床材に発泡ブロックが使用され、就寝具を必要としないものの、各部品の構造が複雑で、組み立ておよび解体の作業が難しいことが予想される。また、間仕切りは無いため、プライバシーの問題が依然残る。特許文献３の段ボールベッドは、間仕切りが用意されたものの、一側面および天井方向には解放しており、生活騒音や照明の遮断を期待できるものとは言えない。また、段ボールのみで形成されているため、寝床としては就寝具が必要である。
【０００７】
この他に、避難所での問題として、寒さが挙げられる。段ボールにも一定の保温性はあるものの、公共スペース（解放空間）では熱はすぐに天井に上がってしまうため、床近くは底冷えとなり、寒さで眠れなくなる被災者も多いという。特許文献２の段ボールベッドは、床材に発泡ブロックが使用されているが、床材のみの保温では快適な睡眠にはもの足りないことが予想される。
【０００８】
また、特許文献１，２，および３は、段ボールベッドに関する技術であるが、避難所では、睡眠環境の他に、椅子やテーブル等の家具の不足や、更衣室や授乳室，水道故障時のトイレ等，完全個室空間への需要がある。
【０００９】
本考案は、前記従来技術の問題点に鑑みて為されたものであって、その目的は、組立・解体性，プライバシー，照明や生活音，および寒さの問題を解消し、かつ、避難所での様々な要求に柔軟に対応することのできる、断熱緩衝材を備えた段ボール製寝床具を提供することにある。
【課題を解決するための手段】
【００１０】
前記目的を達成するために、本考案のある態様の断熱緩衝材付段ボール製寝床具は、人が寝てまたは立って入れる程の直方体空間を形成する、一枚の床板と，一枚の天板と，二枚の側板と，を備え、前記床板，天板，および側板はそれぞれ、段ボール板と断熱緩衝板の貼りあわせからなり、前記床板および前記天板は、段ボール板の組立時内側となる面に前記段ボール板と略同サイズの断熱緩衝板を備え、前記断熱緩衝板には長手方向に伸びる切込みが二列形成されており、前記側板は、段ボール板の組立時外側となる面に前記段ボール板より幅方向に小さいサイズの断熱緩衝板を備え、前記断熱緩衝板からはみ出した前記段ボール板が差込部となるように形成されており、前記側板の前記差込部が、前記床板および前記天板の前記切込みに差し込まれて組み立てられることを特徴とする。
【００１１】
上記態様において、前記床板と前記天板は構成同一、前記二枚の側板は構成同一であるのも好ましい。
【００１２】
上記態様において、前記寝床具は、幅：長さ：高さ＝１：２：１で形成されるのも好ましい。
【００１３】
上記態様において、前記床板および前記天板は、長手方向の少なくとも一箇所で折り曲げ可能に構成されるのも好ましい。
【００１４】
上記態様において、前記床板および前記天板の、前記切込みには、断面「コ」の字状の組立補強材が挿入されるのも好ましい。
【００１５】
上記態様において、前記床板，前記天板，および前記側板の、前記断熱緩衝板が設けられていない面に、さらに追加断熱緩衝板が貼り付けられるのも好ましい。
【００１６】
上記態様において、前記寝床具は、さらに、少なくとも一枚の蓋板を備え、前記蓋板は、段ボール板と，組立時内側となる面に前記段ボール板に対して一回り小さいサイズの断熱緩衝板を備え、前記蓋板の前記断熱緩衝板をはめ込むことにより、前記床板，天板，および側板で形成された前記直方体空間の解放部が塞がれるのも好ましい。
【００１７】
上記態様において、前記蓋板は、少なくとも一箇所で折り曲げ可能に構成されるのも好ましい。
【００１８】
上記態様において、前記床板，前記天板，前記側板，および前記蓋板の少なくとも一つには、少なくとも一つの窓が形成されるのも好ましい。
【００１９】
上記態様において、前記床板，前記天板，および前記側板は、長手方向中央で二つ折り可能に構成され、二つ折りにされた前記床板，前記天板，前記側板と，前記蓋板とは、二つの梱包箱に分かれて収容可能であり、前記二つの梱包箱は、前記寝床具の支持フレームとして前記床板の下方に配置可能であるのも好ましい。
【００２０】
上記態様において、前記梱包箱は、引き出しとして構成されるのも好ましい。
【００２１】
上記態様において、前記寝床具は、個室，更衣室，授乳室，または仮設トイレとして利用可能であるのも好ましい。
【００２２】
上記態様において、前記寝床具は、テーブルまたは長椅子として利用可能であるのも好ましい。
【００２３】
上記態様において、前記床板，前記天板，および前記側板は、展開して畳として利用可能であるのも好ましい。
【００２４】
上記態様において、前記床板および前記天板の前記断熱緩衝板には、幅方向に伸びる第二切込みが二列形成されており、一台の前記寝床具の左方の前記差込部ともう一台の前記寝床具の右方の前記差込部を前記第二切込みに差し込むことで、二台の前記寝床具が連結されるのも好ましい。
【００２５】
上記態様において、前記断熱緩衝板は古紙再生発泡体であり、前記段ボール板は古紙リサイクルへ、前記古紙再生発泡体は固形燃料へリサイクル可能であるのも好ましい。
【００２６】
上記態様において、前記断熱緩衝板は、厚さ４０ｍｍであるのも好ましい。
【考案の効果】
【００２７】
本考案によれば、組立・解体が簡単で，プライバシーも確保でき，かつ断熱性・防音性にも優れた寝床具を提供することができる。また、本考案によれば、家具や個室等の様々な形態で使用することができるので、避難所での生活環境を大きく改善することができる。
【図面の簡単な説明】
【００２８】
【図１】本考案の実施形態に係る断熱緩衝板付段ボール製寝床具の正面視斜視図である。
【図２】同寝床具の背面視斜視図である。
【図３】同寝床具の床板および天板の斜視図である。
【図４】同寝床具の側板の斜視図である。
【図５】同寝床具の蓋板の斜視図である。
【図６】同寝床具の組立手順を示す図であって、（Ａ）床板を設置した状態の図，（Ｂ）側板を設置した状態の図，（Ｃ）天板を設置した状態の図，（Ｄ）蓋板を設置した状態の図である。
【図７】実施形態の変形例１を示す図であって、（Ａ）変形例１を正面上方から見た図，（Ｂ）変形例１を右側からみた図である。
【図８】実施形態の変形例２を示す図であって、変形例２の床板および天板の端面図である。
【図９】実施形態の変形例３を示す図であって、変形例３の正面視斜視図である。
【図１０】実施形態の変形例４を示す図であって、変形例４の正面視斜視図である。
【図１１】実施形態の変形例５を示す図であって、変形例５の正面視斜視図である。
【図１２Ａ】実施形態の変形例６を示す図であって、（Ａ）変形例６のための床板および天板の斜視図である。
【図１２Ｂ】実施形態の変形例６を示す図であって、（Ｂ）変形例６の正面斜視図である。
【図１３】実施形態の断熱緩衝板付段ボール製寝床具を収容する梱包箱を示す図である。
【図１４】同梱包箱の使用形態１を示す図である。
【図１５】同梱包箱の使用形態２を示す図である。
【図１６】実施形態の断熱緩衝板付段ボール製寝床具の使用例１を示す図である。
【図１７】実施形態の断熱緩衝板付段ボール製寝床具の使用例２を示す図である。
【図１８】実施形態の断熱緩衝板付段ボール製寝床具の使用例３を示す図である。
【図１９】実施形態の断熱緩衝板付段ボール製寝床具の使用例４を示す図である。
【図２０】実施形態の断熱緩衝板付段ボール製寝床具の使用例５を示す図である。
【図２１】実施形態の断熱緩衝板付段ボール製寝床具の遮音性試験における、実施例らと比較例の試験説明図である。
【図２２】実施形態の断熱緩衝板付段ボール製寝床具の遮音性試験における、測定結果を示す図である。
【図２３】従来式の段ボールベッドの斜視図である。
【考案を実施するための形態】
【００２９】
以下、本考案の好適な実施形態について、図面を参照しながら説明する。
【００３０】
図１〜図６は、本考案に係る好適な実施形態の断熱緩衝材付段ボール製寝床具１０（以下、寝床具１０という）を示すものである。
【００３１】
図１〜図２に示すように、寝床具１０は、一枚の床板１１と，一枚の天板１２と，二枚の側板１３，１４と、蓋板１５，１６（蓋板１６は図示を省略している）を有する。床板１１，天板１２，および側板１３，１４を組み立てると、人が寝て入れる程の直方体空間Ｓを形成することができる。蓋板１５は、床板１１，天板１２，および側板１３，１４で形成された直方体空間Ｓのいずれか一方の開放部を塞ぐことができる。蓋板１６は、直方体空間Ｓの他方の開放部を塞ぐことができる。蓋板１５，１６の両方を使用するか、どちらか一方を使用するか、またはどちらも使用しないかは、使用者が任意に選択することができる。
【００３２】
寝床具１０は、好ましくは、幅（Ｗ）：長さ（Ｌ）：高さ（Ｈ）＝１：２：１となるように形成される（図１）。本形態では、幅（Ｗ）＝９１０ｍｍ，長さ（Ｌ）＝１８２０ｍｍ，高さ（Ｈ）＝９１０ｍｍのものを示す。
【００３３】
図３は、床板１１および天板１２の構成を示すものである。以下、説明の便宜上、床板１１と天板１２を区別するが、床板１１と天板１２は同一の構成であり、寝床具１０の組立時にはどちらを床にしても天井にしてもよいものである。
【００３４】
床板１１は、段ボール板１１１と断熱緩衝板１１２（以降、断熱緩衝板は単に断熱板とも称する）の貼りあわせで形成されている。段ボール板１１１は、幅９１０ｍｍ，長さ１８２０ｍｍ，厚さ５ｍｍである。断熱板１１２は、幅９１０ｍｍ，長さ１８２０ｍｍ，厚さ４０ｍｍである。断熱板１１２の幅方向両脇には、長手方向に亘って、切込み１１３が形成されている。好ましくは、各切込み１１３は、幅方向両端から内側へ、後述する側板１３，１４の断熱板１３２，１４２の厚み相当だけ距離を空けた位置に、側板１３，１４の段ボール板１３１，１４１の厚み相当の幅で形成される。具体的に、本形態の切込み１１３は、幅方向両端から４０ｍｍの位置から、幅５ｍｍで形成されている。切込み１１３は、断熱板１１２に切れ目を入れるか、断熱板１１２を三分割し、三枚の断熱板を所定の位置に貼りあわせることで形成される。天板１２は、床板１１と同一の構成である。すなわち、天板１２は、幅９１０ｍｍ，長さ１８２０ｍｍ，厚さ５ｍｍの段ボール板１２１と、幅９１０ｍｍ，長さ１８２０ｍｍ，厚さ４０ｍｍの断熱板１２２の貼りあわせで形成され、断熱板１２２には同様に切込み１２３が形成されている。
【００３５】
図４は、側板１３および側板１４の構成を示すものである。側板１３と側板１４は同一の構成であり、寝床具１０の組立時にはどちらを右にしても左にしてもよいものである。
【００３６】
側板１３は、段ボール板１３１と断熱板１３２の貼りあわせで形成されている。段ボール板１３１は、幅９１０ｍｍ，長さ１８２０ｍｍ，厚さ５ｍｍである。断熱板１３２は、幅８２０ｍｍ，長さ１８２０ｍｍ，厚さ４０ｍｍである。側板１３では、段ボール板１３１が断熱板１３２から幅方向に（組立時、上下方向に）はみ出すように形成されている。好適には、段ボール板１３１は断熱板１３２から、床板１１の断熱板１１２および天板１２の断熱板１２２の厚み相当だけはみ出すように形成される。具体的に、本形態の段ボール板１３１は、断熱板１３２からそれぞれ４０ｍｍはみ出すように形成されている。当該はみ出し部分が、組立時の差込部１３３として機能する。側板１４は、側板１３と同一の構成である。すなわち、側板１４は、幅９１０ｍｍ，長さ１８２０ｍｍ，厚さ５ｍｍ段ボール板１４１と、幅８２０ｍｍ，長さ１８２０ｍｍ，厚さ４０ｍｍの断熱板１４２の貼りあわせで形成され、段ボール板１４１は同様に差込部１４３を有する。
【００３７】
図５は、蓋板１５と蓋板１６の構成を示すものである。蓋板１５と蓋板１６は同一の構成であり、寝床具１０の使用時には、どちらを正面にしても背面にしてもよいものである。
【００３８】
蓋板１５は、段ボール板１５１と断熱板１５２の貼りあわせで形成されている。段ボール板１５１は、幅９１０ｍｍ，長さ９１０ｍｍ，厚さ５ｍｍである。断熱板１５２は、幅８７０ｍｍ，長さ８７０ｍｍ，厚さ４０ｍｍである。蓋板１５では、断熱板１５２が段ボール板１５１より一回り小さく形成されている。好適には、断熱板１５２は、段ボール板１５１に対して床板１１，天板１２，側板１３，１４の各断熱板１１２，１２２，１３２，１４２の厚み相当だけ一回り小さく形成される。具体的に、本形態の断熱板１５２は、段ボール板１５１よりも４０ｍｍ小さく形成されている。蓋板１６は、蓋板１５と同一の構成である。すなわち、蓋板１６は、幅９１０ｍｍ，長さ９１０ｍｍ，厚さ５ｍｍの段ボール板１６１と、幅８７０ｍｍ，長さ８７０ｍｍ，厚さ４０ｍｍの断熱板１６２の貼りあわせで形成されている。
【００３９】
図６は、寝床具１０の組立手順を示すものである。使用者は、まず、床板１１を、断熱板１１２を上にして床に設置する（図６Ａ）。次に、床板１１の切込み１１３，１１３に対して、側板１３の差込部１３３を、断熱板１３２を外側にして差しこむ。同様に、床板１１の他方の切込み１１３に対して、側板１４の差込部１４３を、断熱板１４２を外側にして差しこむ（図６Ｂ）。次に、天板１２の切込み１２３，１２３を、差込部１３３，１４３に対して差しこむ（図６Ｃ）。最後に、蓋板１５の断熱板１５２を、一方の開放部に対してはめ込む（図６Ｄ）。任意で、蓋板１６の断熱板１６２を、他方の開放部に対してはめ込む。これにより、人が寝て入れる程の直方体空間Ｓが形成される。
【００４０】
図７〜図１２は、実施の形態の好適な変形例を示すものである。なお、実施形態と同一の構成については、同一の符号を用いて説明を割愛する。
【００４１】
図７は、本考案に係る実施形態の変形例１を示すものである。変形例１では、天板１２が半開するように構成されている。天板１２の長手方向中央部には、折り目１７が形成されている。折り目１７は、段ボール板１２１に折れ線を付け、断熱板１２２に切り込みを入れておくことなどで形成される。なお、図７では、折り目１７は長手方向中央部に形成されているが、より正面寄りまたは背面寄りに形成されてもよいし、また、一箇所に限らず複数個所に形成されてもよい。この場合、天板１２と床板１１は同一の構成であるので、区別無く使用されて良いように、床板１１にも同様の折り目１７を形成するのが好ましい。折り目１７を形成しておくことによって、使用者が任意に天井を解放することができる。
【００４２】
図８は、本考案に係る実施形態の変形例２を示すものである。変形例２では、床板１１および天板１２の各切込み１１３，１２３に、組立補強材１９が挿入されたものである。組立補強材１９は、図８に示すように、幅方向断面が「コ」の字状の厚紙（ガイドレール紙）であって、切込み１１３，１２３に沿って挿入されている。切込み１１３，１２３に組立補強材１９を入れることによって、差込部１３３，１４３が変形し難くなり、寝床具１０の組立強度が向上する。
【００４３】
図９は、本考案に係る実施形態の変形例３を示すものである。変形例３では、各板の断熱板が二重となっている。床板１１では、段ボール板１１１の組立時外側となる面に、段ボール板１１１と同サイズの追加断熱緩衝板１１４が貼られている。天板１２にも同様に追加断熱緩衝板１２４が貼られている。側板１３では、段ボール板１３１の組立時内側となる面に、断熱板１３２と同サイズの追加断熱緩衝板１３４が、断熱板１３２と同様の位置に貼られている。側板１４にも同様に追加断熱緩衝板１４４が貼られている。変形例３によれば、保温・防音性能をさらに向上させることができる。なお、追加断熱緩衝板は、蓋板１５，１６にも設けてよい。
【００４４】
図１０は、本考案に係る実施形態の変形例４を示すものである。変形例４では、蓋板１６が半開するように構成されている。蓋１６の高さ方向中央部には、折り目１７が形成されているなお、折り目１７は、より上方寄りまたは下方寄りに形成されてもよいし、また複数個所に形成されてもよい。なお、図示を略するが、図１０が折り目１７を水平方向に配置した形態なのに対して、折り目１７が垂直方向に配置されるようにして、蓋板１６がドアのように開閉する形態とするのも好適である。蓋板１５は蓋板１６と同一の構成であるので、区別無く使用されて良いように、蓋板１５にも同様の折り目１７を形成するのが好ましい。折り目１７を形成しておくことによって、使用者が任意に蓋板を解放することができる。
【００４５】
図１１は、本考案に係る実施形態の変形例５を示すものである。変形例５では、天板１２および側板１４に窓１８が形成されている。窓１８に該当する箇所には、切り取り線が形成されており、押すと各段ボール板および断熱板がくり抜けるように構成されている。この場合、天板１２と床板１１、側板１４と側板１３は、それぞれ同一の構成であるので、区別無く使用されて良いように、床板１１および側板１３にも同一の窓１８（の切り取り線）を形成するのが好ましい。窓１８は、床板１１，天板１２，側板１３，１４，蓋板１５，１６のいずれか一つに設けるものでよい。また、窓１８は、少なくとも一つとしてよい。
【００４６】
図１２は、本考案に係る実施形態の変形例６を示すものである。変形例６では、寝床具１０を二台連結し、二棟分の直方体空間Ｓを作る例を示す。図１２（Ａ）に示すように、寝床具１０は幅（Ｗ）：長さ（Ｌ）：高さ（Ｈ）＝１：２：１であり、床板１１および天板１２の長手方向両脇には、幅方向に亘って、第二切込み２０が形成されている。第二切込み２０は、長手方向両端から４０ｍｍの内側の位置に、幅５ｍｍで形成されている。床板１１および天板１２に第二切込み２０を形成しておくことより、一台の寝床具１０をもう一台の寝床具１０´（以下、寝床具１０´のものには「´」を付す）と連結することができる。
【００４７】
図１２（Ｂ）に示すように、まず、床板１１と床板１１´を並べ、側板１３と側板１３´を左右に組み立てる。二棟連結の場合には、側板１４および側板１４´は使用しなくてよい。次に、蓋板１５および蓋板１５´をはめた状態で、天板１２または天板１２´のいずれか一方を、床板１１に対して９０度回転させた状態で背面側空間にかぶせ、第二切込み２０を側板１３，１３´の差込部１３３，１３３´に差しこむ。これにより、二棟を連結することができる。なお、天板１２´により正面側空間も覆う場合は、天板１２´の組立強度確保のため、どちらか一方の棟に、天板１２´の切込み１２３´に嵌める壁板を配置するのも好ましい。
【００４８】
この他の変形として、寝床具１０内に、照明具となるＬＥＤ用穴の形成，電気ケーブルを引き込むための穴の形成，棚の形成，ハンガーフックの形成なども好ましい。
【００４９】
図１３〜図１５は、実施形態のための好適な梱包箱とその活用を示すものである。変形例１（図７）で、天板１２および床板１１に、長手方向中央部に折り目１７を形成した形態を示しているが、この折り目１７を側板１３，１４にも形成すると、梱包状態およびその活用に有利な効果が生じる。
【００５０】
図１３に示すように、寝床具１０は、二つの梱包箱２０１，２０２に分けて収容されている。梱包箱２０１には、折り目１７で二つ折りにされた床板１１と、折り目１７で二つ折りにされた側板１３と、蓋板１５と、後述する支持材２３が収容されている。梱包箱２０２には、折り目１７で二つ折りにされた天板１２と、折り目１７で二つ折りにされた側板１４と、蓋板１６と、支持材２３が収容されている。梱包箱２０１，２０２は、組立時には区別無く使用される。梱包箱２０１，２０２は、幅９２５ｍｍ，長さ９３５ｍｍ，高さ２５０ｍｍであり、寝床具１０をコンパクトに収容するため、備蓄に好適である。支持材２３は、図１４に示すように、長方形状の段ボール板に切込みが入れられており、各切込みを格子状にかみ合わせることで組み立てられる井桁状の構造体である。支持材２３は、かみ合わせを解いた形態で梱包箱２０１，２０２に収容されている。
【００５１】
図１４に示すように、梱包箱２０１，２０２は、組み立てた支持材２３を中に収容することによって、寝床具１０の支持フレームとして活用することができる。また、図１５に示すように、梱包箱２０１，２０２の中に、段ボール製の組立式の引き出し２４を備えるのも好適である。この場合、引き出し２４に支持材２３を収容することによって、梱包箱２０１，２０２は、小物入れとして活用することもできる。
【００５２】
図１６〜図２０は、実施形態に係る寝床具１０の好適な使用例を示すものである。
【００５３】
図１６は、本考案の基本の使用形態であり、寝床具１０を横置きにし、個室型の寝床（キャビン）として使用した例である。寝床具１０の下には、図１４で示したように、梱包箱２０１，２０２を支持フレームとして使用するのが好適である。図１７は、寝床具１０を縦置きにし、個室空間として使用した例である。図１８は、寝床具１０を横置きにし、家具として使用した例である。図１９は、寝床具１０を展開し、居間として使用した例である。図では、床板１１と天板１２を並べ、側板１４を間仕切りとして使用した例を示している。図２０は、寝床具１０の天板１２および一方の側板１４を取り外し、介護用ベッドとして使用した例である。
【００５４】
以下に、本形態の寝床具１０による効果を述べる。
【００５５】
寝床具１０によれば、段ボール板と断熱緩衝板の組み合わせからなる独自形状の床板１１、天板１２、側板１３，１４、蓋板１５，１６により、下方だけでなく、上方および四方側方も囲われた空間を形成することができる。さらに、寝床具１０は、床材だけではなく、天井および周囲にも断熱材が配置されているので、保温性に優れている。
【００５６】
同時に、寝床具１０は、優れた防音性を有する。図２１および図２２に、寝床具１０の遮音性能試験の結果を示す。試験は、寝床具１０において、図２１に示すように、（１）蓋板１６を全閉した場合、（２）蓋板１６を半開した場合、（３）蓋板１６を全開した場合、（４）蓋板１６を全開したうえで、天板１２を半開した場合、の４パターン行った。比較例として、（５）は、図２３に示す従来式の段ボールベッドを用い、間仕切りを図のように立てたものを使用した。以上の（１）〜（５）の各ベッドを、体育館に設置し、館内で広帯域ノイズを発生させ、ベッド内外の音圧レベルを測定し、その差を求めた。音源は、ベッドの長辺に対して４５度の方向で１０ｍの距離に設置した。ベッド外のマイクロホンは、簡易ベッドの長辺に対し１ｍの距離に３本設置した。マイクロホン高さは、１．２ｍとした。ベッド内のマイクロホンは、対角線上に高さを変えて３本または２本設置した。以上のもと、（１）〜（５）の各ベッドにて、ベッドの内外で測定された音圧レベルの平均値（１００〜５０００Ｈｚの周波数範囲における１／３オクターブバンドの値）を基にＡ特性音圧レベルを算出した結果を、図２２に示す。結果から、比較例（５）が４．１デシベルなのに対し、実施例（１）は１０．５デシベルであり、寝床具１０は従来に比して最大で２倍以上の防音性を有することが分かった。
【００５７】
また、寝床具１０の組み立ては、側板１３，１４の段ボール板の差込部１３３，１４３を、床板１１の切込み１１３および天板１２の切込み１２３に差し込むだけでよいので、ガムテープ等の工具は一切不要であり、また力を使うこともない。同様に、寝床具１０の解体も、段ボール板の差込を外せばいいだけであるので、極めて簡単である。
【００５８】
さらに、寝床具１０は、床板１１と天板１２の構成が全く同じであるため、使用者が上下を取り違えることがない。同様に、側板１３と側板１４も構成が全く同じであるため、使用者は左右を取り違えることもない。蓋板１５と蓋板１６に関しても同様であるため、老若男女を問わず、組み立てが可能である。
【００５９】
また、寝床具１０は、完全な個室空間を形成することができるので、プライバシーの問題を解消することができる。さらに、寝床具１０は、変形例６（図１２）に示すように連結することができるので、数人が入れる広い空間を形成することができる。このため、家族単位での就寝を可能にする。
【００６０】
また、寝床具１０は、寝床としての使い方の他に、図１７に示すように縦置きにすれば、更衣室，授乳室，または仮設トイレとして使うことができる。または、図１８に示すように、椅子やテーブルなどの家具としても使用することもできる。または、図１９に示すように、各板を展開することで、畳間のようなスペースを形成することができ、側板１３，１４は間仕切りとして使用することができる。あるいは、図２０に示すように、介護用ベッドにすることもできる。このように、寝床具１０は、避難所のニーズに応じて柔軟に、多様な使い方ができる。
【００６１】
断熱緩衝板（１１２，１２２，１３２，１４２，１５２，１６２）は、例として、グラスウールなどの無機質系，発泡ポリスチレン，ウレタンフォーム，スタイロフォーム（登録商標）などの発泡プラスチック系，または天然素材系繊維のものである。
【００６２】
ここで、各断熱緩衝板（１１２，１２２，１３２，１４２，１５２，１６２）に、古紙再生発泡体（廃棄紙からなる紙パウダー，工業用澱粉，および合成樹脂を混成し、水蒸気で発泡させ押出成形した発泡体）を用いれば、解体後のリサイクル性も良好となる。即ち、寝床具１０は、解体時には段ボール板と断熱板とに分別し、段ボール板は古紙リサイクルへ、断熱板はＲＰＦ（廃棄物固形燃料）にリサイクルすることができる。さらに言えば、上記古紙リサイクルにより再生された紙はまた廃棄紙となって古紙再生発泡体の原料として戻り、上記ＲＰＦは古紙再生発泡体の製造工場にて再使用される。したがって、寝床具１０の断熱板に古紙再生発泡体を使用することにより、寝床具１０はリサイクルされて循環し、ゴミ（廃棄物）を一切出さないエコロジー製品とすることができる。
【００６３】
また、寝床具１０は、床板１１、天板１２、側板１３，１４、蓋板１５，１６に、緩衝材（１１２，１２２，１３２，１４２，１５２，１６２）が配置されていることから、十分な強度も有する。実際に、圧縮試験機を用いて寝床具１０を上方および側方から均等に圧縮したところ、蓋板１５，１６の両方を閉めた形態も、蓋板１５のみ閉めた形態も、地震による落下物，転倒物による衝撃や、大人数人が乗った場合にも耐えられる程度の強度を確認できた。
【００６４】
また、寝床具１０の右側面および左側面、および、正面および背面において、床板１１および天板１２の断熱板１１２，１２２と側板１３，１４の断熱板１３２，１３４は、面一となるように構成されているため、審美性にも優れている。
【００６５】
なお、寝床具１０では、好適な組立寸法として幅（Ｗ）：長さ（Ｌ）：高さ（Ｈ）＝１：２：１のものを示したが、図１８のように長椅子として使用される用途で出荷される場合は、高さを下げるなど、用途に応じた寸法変更は可能である。
【００６６】
また、寝床具１０は、保温性に優れているため、保冷剤やドライアイスを入れることにより、暗所または保冷空間として使用することもできる。
【００６７】
以上、本考案の好ましい実施形態および変形例について述べたが、これらは本考案の一例であり、これらを当業者の知識に基づいて組み合わせることが可能であり、そのような形態も本考案の範囲に含まれる。
【符号の説明】
【００６８】
１０…断熱材付段ボール製寝床具，
１１…床板，１１１…段ボール板，１１２…断熱緩衝板，１１３…切込み
１２…天板，１２１…段ボール板，１２２…断熱緩衝板，１２３…切込み
１３…側板，１３１…段ボール板，１３２…断熱緩衝板，１３３…差込部
１４…側板，１４１…段ボール板，１４２…断熱緩衝板，１４３…差込部
１５…蓋板，１５１…段ボール板，１５２…断熱緩衝板
１６…蓋板，１６１…段ボール板，１６２…断熱緩衝板
Ｓ…直方体空間
１１４，１２４，１３４，１４４…追加断熱緩衝板
１７…折り目，１８…窓，１９…組立補強材，２０…第二切込み
２０１，２０２…梱包箱，２３…支持材，２４…引き出し
【図１】
0003219523.tif 000003
【図２】
0003219523.tif 000004
【図３】
0003219523.tif 000005
【図４】
0003219523.tif 000006
【図５】
0003219523.tif 000007
【図６】
0003219523.tif 000008
【図７】
0003219523.tif 000009
【図８】
0003219523.tif 000010
【図９】
0003219523.tif 000011
【図１０】
0003219523.tif 000012
【図１１】
0003219523.tif 000013
【図１２Ａ】
0003219523.tif 000014
【図１２Ｂ】
0003219523.tif 000015
【図１３】
0003219523.tif 000016
【図１４】
0003219523.tif 000017
【図１５】
0003219523.tif 000018
【図１６】
0003219523.tif 000019
【図１７】
0003219523.tif 000020
【図１８】
0003219523.tif 000021
【図１９】
0003219523.tif 000022
【図２０】
0003219523.tif 000023
【図２１】
0003219523.tif 000024
【図２２】
0003219523.tif 000025
【図２３】
0003219523.tif 000026